(57)【要約】【課題】トラック間クロストークによる影響を抑制し、従来よりも短い時間で微粒子を計測できる分析装置及び分析方法を提供する。【解決手段】分析装置１は光ピックアップ１０と信号処理回路２０とを備える。信号処理回路２０は光ピックアップ１０が受光した検出光Ｌｂ３，Ｌｂ４から受光レベル信号ＲＳ３，ＲＳ４を生成し、検出光Ｌｂ１，Ｌｂ２から受光レベル信号ＲＳ１，ＲＳ２を生成する。信号処理回路２０は受光レベル信号ＲＳ３，ＲＳ４と受光レベル信号ＲＳ１，ＲＳ２とを加算して検出信号ＤＳを生成し、受光レベル信号ＲＳ３，ＲＳ４から受光レベル信号ＲＳ１，ＲＳ２を減算して差信号ＳＳを生成する。信号処理回路２０は検出信号ＤＳから微粒子検出信号ＢＳを生成し、差信号ＳＳから計測補正信号ＣＳを生成し、これらの排他的論理和が１となる場合に微粒子計測信号ＨＳを生成する。【選択図】図１
2018165620.tif 000002
【特許請求の範囲】
【請求項１】
対象領域と周辺領域とが交互に形成され、検出対象物質を標識する微粒子が捕捉されているトラック領域に、レーザ光を、前記レーザ光のレーザスポットが第１の対象領域と前記第１の対象領域に隣接する両側の第１の周辺領域及び第２の周辺領域とを含むように照射し、前記レーザスポットを、前記第１の対象領域と前記第１の対象領域に隣接する一方の側の前記第１の周辺領域とを含む領域に位置する第１のレーザスポットと、前記第１の対象領域と前記第１の対象領域に隣接する他方の側の前記第２の周辺領域とを含む領域に位置する第２のレーザスポットとに分割し、前記第１のレーザスポットに分割されたレーザ光を第１の検出光として受光する第１の受光領域と、前記第２のレーザスポットに分割されたレーザ光を第２の検出光として受光する第２の受光領域とを有する光ピックアップと、
前記第１の検出光の受光レベルに基づいて第１の受光レベル信号を生成し、前記第２の検出光の受光レベルに基づいて第２の受光レベル信号を生成し、前記第１の受光レベル信号と前記第２の受光レベル信号とを加算して検出信号を生成し、前記第１の受光レベル信号から前記第２の受光レベル信号を減算して差信号を生成し、前記検出信号に基づいて微粒子検出信号を生成し、前記差信号に基づいて計測補正信号を生成し、前記微粒子検出信号と前記計測補正信号との排他的論理和を論理演算し、前記排他的論理和が１となる場合に微粒子計測信号を生成する信号処理回路と、
を備えることを特徴とする分析装置。
【請求項２】
対象領域と周辺領域とが交互に形成され、検出対象物質を標識する微粒子が捕捉されているトラック領域に、レーザ光を、前記レーザ光のレーザスポットが第１の対象領域と前記第１の対象領域に隣接する両側の第１の周辺領域及び第２の周辺領域とを含む第１の照射領域に位置するように照射し、
前記レーザスポットを、前記第１の対象領域と前記第１の対象領域に隣接する一方の側の前記第１の周辺領域とを含む領域に位置する第１のレーザスポットと、前記第１の対象領域と前記第１の対象領域に隣接する他方の側の前記第２の周辺領域とを含む領域に位置する第２のレーザスポットとに分割し、
前記第１のレーザスポットに分割されたレーザ光を第１の検出光として受光し、
前記第２のレーザスポットに分割されたレーザ光を第２の検出光として受光し、
前記第１の検出光の受光レベルに基づいて第１の受光レベル信号を生成し、
前記第２の検出光の受光レベルに基づいて第２の受光レベル信号を生成し、
前記第１の受光レベル信号と前記第２の受光レベル信号とを加算して検出信号を生成し、
前記第１の受光レベル信号から前記第２の受光レベル信号を減算して差信号を生成し、
前記検出信号に基づいて微粒子検出信号を生成し、
前記差信号に基づいて計測補正信号を生成し、
前記微粒子検出信号と前記計測補正信号との排他的論理和を論理演算し、
前記排他的論理和が１となる場合に微粒子計測信号を生成する
ことを特徴とする分析方法。
【発明の詳細な説明】
【技術分野】
【０００１】
本発明は、抗原、抗体等の生体物質を分析するための分析装置及び分析方法に関する。
【背景技術】
【０００２】
疾病に関連付けられた特定の抗原または抗体をバイオマーカーとして検出することで、疾病の発見及び治療の効果等を定量的に分析する免疫検定法（immunoassay）が知られている。
【０００３】
特許文献１には、試料分析用ディスク上の反応領域に固定された抗体と試料中の抗原とを結合させ、抗体を有する微粒子によって抗原を標識し、光ピックアップから照射されるレーザ光を走査することにより、反応領域に捕捉された微粒子を検出する分析装置が記載されている。特許文献１に記載されている分析装置は、光ディスク装置を検体検出用に利用したものである。
【先行技術文献】
【特許文献】
【０００４】
【特許文献１】特開２０１５−１２７６９１号公報
【発明の概要】
【発明が解決しようとする課題】
【０００５】
試料分析用ディスクの表面には、凸部と凹部とが交互に配置されたトラック領域が形成されている。トラック領域上に形成される反応領域では、通常、凸部及び凹部に微粒子が捕捉される。そのため、反応領域に捕捉されている微粒子の総数を計測するためには、凸部及び凹部に対してレーザ光を走査することが必要であり、微粒子を検出するための測定時間が長くなる。
【０００６】
光ディスク装置を検体検出用に利用した分析装置では、トラッキング制御及びフォーカス制御等のサーボ制御を行っている。そのため、凹部に対してレーザ光を走査する場合、隣接する両側の凸部にもレーザ光が照射される。隣接する凸部に微粒子が捕捉されている場合、この微粒子は検出される。さらに隣の凹部に対してレーザ光を走査する場合にも上記の微粒子は検出される。即ち、トラック間クロストークにより、１個の微粒子が２回計測されるため、微粒子の定量精度を悪化させる要因となる。
【０００７】
本発明は、トラック間クロストークによる影響を抑制し、従来よりも短い時間で微粒子を精度よく計測できる分析装置及び分析方法を提供することを目的とする。
【課題を解決するための手段】
【０００８】
本発明は、対象領域と周辺領域とが交互に形成され、検出対象物質を標識する微粒子が捕捉されているトラック領域に、レーザ光を、前記レーザ光のレーザスポットが第１の対象領域と前記第１の対象領域に隣接する両側の第１の周辺領域及び第２の周辺領域とを含む第１の照射領域に位置するように照射し、前記レーザスポットを、前記第１の対象領域と前記第１の対象領域に隣接する一方の側の前記第１の周辺領域とを含む領域に位置する第１のレーザスポットと、前記第１の対象領域と前記第１の対象領域に隣接する他方の側の前記第２の周辺領域とを含む領域に位置する第２のレーザスポットとに分割し、前記第１のレーザスポットに分割されたレーザ光を第１の検出光として受光する第１の受光領域と、前記第２のレーザスポットに分割されたレーザ光を第２の検出光として受光する第２の受光領域とを有する光ピックアップと、前記第１の検出光の受光レベルに基づいて第１の受光レベル信号を生成し、前記第２の検出光の受光レベルに基づいて第２の受光レベル信号を生成し、前記第１の受光レベル信号と前記第２の受光レベル信号とを加算して検出信号を生成し、前記第１の受光レベル信号から前記第２の受光レベル信号を減算して差信号を生成し、前記検出信号に基づいて微粒子検出信号を生成し、前記差信号に基づいて計測補正信号を生成し、前記微粒子検出信号と前記計測補正信号との排他的論理和を論理演算し、前記排他的論理和が１となる場合に微粒子計測信号を生成する信号処理回路とを備えることを特徴とする分析装置を提供する。
【０００９】
また、本発明は、対象領域と周辺領域とが交互に形成され、検出対象物質を標識する微粒子が捕捉されているトラック領域に、レーザ光を、前記レーザ光のレーザスポットが第１の対象領域と前記第１の対象領域に隣接する両側の第１の周辺領域及び第２の周辺領域とを含む第１の照射領域に位置するように照射し、前記レーザスポットを、前記第１の対象領域と前記第１の対象領域に隣接する一方の側の前記第１の周辺領域とを含む領域に位置する第１のレーザスポットと、前記第１の対象領域と前記第１の対象領域に隣接する他方の側の前記第２の周辺領域とを含む領域に位置する第２のレーザスポットとに分割し、前記第１のレーザスポットに分割されたレーザ光を第１の検出光として受光し、前記第２のレーザスポットに分割されたレーザ光を第２の検出光として受光し、前記第１の検出光の受光レベルに基づいて第１の受光レベル信号を生成し、前記第２の検出光の受光レベルに基づいて第２の受光レベル信号を生成し、前記第１の受光レベル信号と前記第２の受光レベル信号とを加算して検出信号を生成し、前記第１の受光レベル信号から前記第２の受光レベル信号を減算して差信号を生成し、前記検出信号に基づいて微粒子検出信号を生成し、前記差信号に基づいて計測補正信号を生成し、前記微粒子検出信号と前記計測補正信号との排他的論理和を論理演算し、前記排他的論理和が１となる場合に微粒子計測信号を生成することを特徴とする分析方法を提供する。
【発明の効果】
【００１０】
本発明の分析装置及び分析方法によれば、トラック間クロストークによる影響を抑制し、従来よりも短い時間で精度よく微粒子を計測できる。
【図面の簡単な説明】
【００１１】
【図１】一実施形態の分析装置を示す構成図である。
【図２Ａ】光検出器の受光領域を示す平面図である。
【図２Ｂ】光検出器の受光領域と受光領域に照射される検出光との関係を示す平面図である。
【図３】試料分析用ディスクのトラック領域上に捕捉されている微粒子と、トラック領域に照射されるレーザ光のレーザスポットとの関係を示す図である。
【図４】検出信号と微粒子検出信号と差信号と計測補正信号との関係を示すタイムチャートである。
【図５】検出信号と微粒子検出信号と差信号と計測補正信号との関係を示すタイムチャートである。
【図６】検出信号と微粒子検出信号と差信号と計測補正信号との関係を示すタイムチャートである。
【発明を実施するための形態】
【００１２】
図１を用いて、一実施形態の分析装置を説明する。分析装置１は、光ピックアップ１０と信号処理回路２０とを備える。光ピックアップ１０は、レーザ光源１１と、コリメータレンズ１２と、ビームスプリッタ１３と、対物レンズ１４と、集光レンズ１５ａ，１５ｂと、光検出器３０とを有する。信号処理回路２０は、検出信号生成回路２１と論理演算回路２２とを有する。
【００１３】
レーザ光源１１は、波長が例えば４０５ｎｍのレーザ光Ｌａを射出する。コリメータレンズ１２はレーザ光Ｌａを平行光にする。ビームスプリッタ１３はレーザ光Ｌａを透過させる。対物レンズ１４はレーザ光Ｌａを試料分析用ディスク１００のトラック領域１０１に所定のビームスポットで集光させる。
【００１４】
トラック領域１０１には凹部１０２（対象領域）と凸部１０３（周辺領域）とが半径方向に交互に形成されている。凹部１０２及び凸部１０３は、内周部から外周部に向かってスパイラル状に形成されている。試料分析用ディスク１００は、例えばブルーレイディスク（ＢＤ）、ＤＶＤ、コンパクトディスク（ＣＤ）等の光ディスクと同等の円板形状を有する。
【００１５】
試料分析用ディスク１００は、例えば、一般的に光ディスクに用いられるポリカーボネート樹脂またはシクロオレフィンポリマー等の樹脂材料で形成されている。なお、試料分析用ディスク１００は、上記の光ディスクに限定されるものではなく、他の形態または所定の規格に準拠した光ディスクを用いることもできる。
【００１６】
試料分析用ディスク１００のトラック領域１０１における凹部１０２は光ディスクのグルーブに相当し、凸部１０３はランドに相当する。凹部１０２の半径方向のピッチに相当するトラックピッチは例えば３２０ｎｍである。
【００１７】
レーザ光Ｌａはトラック領域１０１で反射し、検出光Ｌｂとして対物レンズ１４を介してビームスプリッタ１３へ入射する。ビームスプリッタ１３は検出光Ｌｂを集光レンズ１５ａ，１５ｂに向けて反射する。集光レンズ１５ａ，１５ｂは検出光Ｌｂを光検出器３０に向けて集光させる。
【００１８】
図２Ａに示すように、光検出器３０は、受光領域３１と受光領域３２と受光領域３３と受光領域３４とを有する。光検出器３０は、受光領域が４分割された４分割フォトダイオードである。検出光Ｌｂは受光領域３１，３２，３３，３４へ入射する。
【００１９】
光検出器３０は、受光領域３１に入射した検出光Ｌｂの受光レベルＲＬ１を検出し、信号処理回路２０の検出信号生成回路２１へ出力する。光検出器３０は、受光領域３２に入射した検出光Ｌｂの受光レベルＲＬ２を検出し、検出信号生成回路２１へ出力する。光検出器３０は、受光領域３３に入射した検出光Ｌｂの受光レベルＲＬ３を検出し、検出信号生成回路２１へ出力する。光検出器３０は、受光領域３４に入射された検出光Ｌｂの受光レベルＲＬ４を検出し、検出信号生成回路２１へ出力する。
【００２０】
検出信号生成回路２１は、受光レベルＲＬ１に基づいて受光レベル信号ＲＳ１を生成する。検出信号生成回路２１は、受光レベルＲＬ２に基づいて受光レベル信号ＲＳ２を生成する。検出信号生成回路２１は、受光レベルＲＬ３に基づいて受光レベル信号ＲＳ３を生成する。検出信号生成回路２１は、受光レベルＲＬ４に基づいて受光レベル信号ＲＳ４を生成する。
【００２１】
検出信号生成回路２１は、受光レベル信号ＲＳ１と受光レベル信号ＲＳ２と受光レベル信号ＲＳ３と受光レベル信号ＲＳ４とを加算して総和信号（ＲＳ１＋ＲＳ２＋ＲＳ３＋ＲＳ４）を生成し、検出信号ＤＳとして論理演算回路２２へ出力する。
【００２２】
検出信号生成回路２１は、受光レベル信号ＲＳ１と受光レベル信号ＲＳ２とを加算して加算信号（ＲＳ１＋ＲＳ２）を生成し、受光レベル信号ＲＳ３と受光レベル信号ＲＳ４とを加算して加算信号（ＲＳ３＋ＲＳ４）を生成する。検出信号生成回路２１は、加算信号（ＲＳ１＋ＲＳ２）から加算信号（ＲＳ３＋ＲＳ４）を減算して差信号ＳＳ（（ＲＳ１＋ＲＳ２）−（ＲＳ３＋ＲＳ４））を生成し、論理演算回路２２へ出力する。
【００２３】
論理演算回路２２は、検出信号ＤＳの信号レベルが閾値を超えている期間にハイレベルとなるパルス信号である微粒子検出信号ＢＳを生成する。論理演算回路２２は、差信号ＳＳの信号レベルが閾値を超えている期間にハイレベルとなるパルス信号である計測補正信号ＣＳを生成する。論理演算回路２２は、微粒子検出信号ＢＳと計測補正信号ＣＳとの排他的論理和（ＢＳ ＸＯＲ ＣＳ）の論理演算を実行する。
【００２４】
図３〜図６を用いて、微粒子検出信号ＢＳと計測補正信号ＣＳとの排他的論理和の論理演算により、微粒子を計測する方法の一例を説明する。
【００２５】
図３に示すように、試料分析用ディスク１００のトラック領域１０１には凹部１０２と凸部１０３とが交互に形成されている。以下に、凹部１０２をトラックＴＲとし、レーザ光Ｌａが凹部１０２上を走査される場合について説明する。なお、説明をわかりやすくするために、図１と同じ構成部には同じ符号を付す。
【００２６】
レーザ光ＬａがトラックＴＲ上を走査される場合、トラッキング制御を行うためには、レーザ光Ｌａは、レーザスポットＬＳが凹部１０２と、凹部１０２に隣接する両側の凸部１０３とを含む領域（第１の照射領域）に位置するように照射される。なお、凸部１０３をトラックＴＲとし、レーザ光Ｌａが凸部１０３上を走査される場合は、レーザ光Ｌａは、レーザスポットＬＳが凸部１０３と、凸部１０３に隣接する両側の凹部１０２とを含む領域（第２の照射領域）に位置するように照射される。
【００２７】
レーザスポットＬＳの直径は、１．２２×レーザ光Ｌａの波長÷対物レンズ１４の開口数ＮＡにより決定される。図１に示すように、レーザ光Ｌａは、トラック領域１０１で反射し、検出光Ｌｂとして対物レンズ１４、ビームスプリッタ１３、集光レンズ１５ａ，１５ｂを介して光検出器３０に集光される。
【００２８】
図２Ｂに示すように、検出光Ｌｂは、光検出器３０の受光領域３１，３２，３３，３４に４分割されて入射する。受光領域３１に分割されて入射する検出光ＬｂをＬｂ１、受光領域３２に分割されて入射する検出光ＬｂをＬｂ２、受光領域３３に分割されて入射する検出光ＬｂをＬｂ３、受光領域３４に分割されて入射する検出光ＬｂをＬｂ４とする。図３に示すレーザスポットＬＳ１，ＬＳ２，ＬＳ３，ＬＳ４は図２Ｂに示すＬｂ１，Ｌｂ２，Ｌｂ３，Ｌｂ４に対応する。
【００２９】
図３に示すように、レーザ光Ｌａは、レーザスポットＬＳ１，ＬＳ２が凹部１０２と、凹部１０２に隣接する一方の側（図３における左側）の凸部１０３（第１の凸部）とを含む領域に位置するように照射される。また、レーザ光Ｌａは、レーザスポットＬＳ３，ＬＳ４が凹部１０２と、凹部１０２に隣接する他方の側（図３における右側）の凸部１０３（第２の凸部）とを含む領域に位置するように照射される。
【００３０】
レーザ光ＬａのレーザスポットＬＳ１，ＬＳ２により生成される検出光Ｌｂ１，Ｌｂ２は、光検出器３０の受光領域３１，３２に入射する。レーザ光ＬａのレーザスポットＬＳ３，ＬＳ４により生成される検出光Ｌｂ３，Ｌｂ４は、光検出器３０の受光領域３３，３４に入射する。
【００３１】
従って、レーザ光Ｌａ（レーザスポットＬＳ）は、凹部１０２と凹部１０２に隣接する一方の側の凸部１０３とを含む領域に位置するレーザスポットＬＳ１，ＬＳ２（第１のレーザスポット）と、凹部１０２と凹部１０２に隣接する他方の側の凸部１０３とを含む領域に位置するレーザスポットＬＳ３，ＬＳ４（第２のレーザスポット）とに分割される。レーザスポットＬＳ１，ＬＳ２に分割されたレーザ光Ｌａは、検出光Ｌｂ１，Ｌｂ２（第１の検出光）として受光領域３１，３２（第１の受光領域）に入射し、レーザスポットＬＳ３，ＬＳ４に分割されたレーザ光Ｌａは、検出光Ｌｂ３，Ｌｂ４（第２の検出光）として受光領域３３，３４（第２の受光領域）に入射する。
【００３２】
検出信号生成回路２１は、検出光Ｌｂ１，Ｌｂ２の受光レベルＲＬ１，ＲＬ２に基づいて受光レベル信号ＲＳ１，ＲＳ２（第１の受光レベル信号）を生成し、検出光Ｌｂ３，Ｌｂ４の受光レベルＲＬ３，ＲＬ４に基づいて受光レベル信号ＲＳ３，ＲＳ４（第２の受光レベル信号）を生成する。
【００３３】
図３は、トラック領域１０１上に、検出対象物質を標識する微粒子４０が捕捉されている状態の一例を示している。なお、図３では、各凹部１０２及び各凸部１０３を区別するために、各凹部１０２を凹部１０２１，１０２２，１０２３とし、各凸部１０３を凸部１０３１，１０３２，１０３３，１０３４として図示している。
【００３４】
第１のトラックＴＲ１に対応する凹部１０２１には２個の微粒子４０ａ，４０ｂが捕捉されている。第２のトラックＴＲ２に対応する凹部１０２２には１個の微粒子４０ｃが捕捉されている。第３のトラックＴＲ３に対応する凹部１０２３には１個の微粒子４０ｄが捕捉されている。
【００３５】
凸部１０３１には微粒子４０は捕捉されていない。第１のトラックＴＲ１と第２のトラックＴＲ２との間に位置する凸部１０３２には１個の微粒子４０ｅが捕捉されている。第２のトラックＴＲ２と第３のトラックＴＲ３との間に位置する凸部１０３３には２個の微粒子４０ｆ，４０ｇが連接して捕捉されている。凸部１０３４には微粒子４０は捕捉されていない。
【００３６】
レーザ光Ｌａが第１のトラックＴＲ１上を走査される場合、トラッキング制御を行うために、レーザ光Ｌａは、レーザスポットＬＳが凹部１０２１と、凹部１０２１に隣接する両側の凸部１０３１及び凸部１０３２とを含む領域に位置するように照射される。凹部１０２１を第１の凹部とすると、凸部１０３１は第１の凸部であり、凸部１０３２は第２の凸部である。
【００３７】
図４は、レーザ光Ｌａが第１のトラックＴＲ１上を走査される場合の検出信号ＤＳと微粒子検出信号ＢＳと差信号ＳＳと計測補正信号ＣＳとの関係を示すタイムチャートである。レーザ光Ｌａが微粒子４０ａ上を走査されると、微粒子４０ａにより受光レベルＲＬ１，ＲＬ２，ＲＬ３，ＲＬ４がほぼ同じレベルで低下する。
【００３８】
これにより、受光レベル信号ＲＳ１，ＲＳ２，ＲＳ３，ＲＳ４の信号レベルがほぼ同じレベルで低下するため、微粒子４０ａに対する検出信号ＤＳａの信号レベルは低下し、差信号ＳＳの信号レベルはほとんど変化しない。
【００３９】
論理演算回路２２は、検出信号ＤＳａの信号レベルが閾値を超えている期間にハイレベルとなるパルス信号である微粒子検出信号ＢＳａを生成する。差信号ＳＳの信号レベルはほとんど変化しないので閾値を超えないため、計測補正信号ＣＳは生成されない。ここで、信号レベルが閾値を超える期間とは、レーザ光Ｌａが微粒子４０ａ上を走査されると、微粒子４０ａにより受光レベルが低下するため、図４〜図６においては信号レベルが閾値を下回っている期間をいう。
【００４０】
論理演算回路２２は、微粒子検出信号ＢＳと計測補正信号ＣＳとの排他的論理和の論理演算を実行する。論理演算のフラグとしてハイレベルを１、ローレベルを０とすれば、微粒子検出信号ＢＳは微粒子検出信号ＢＳａが生成されるので、微粒子検出信号ＢＳａは１、計測補正信号ＣＳは生成されないので０として論理演算される。これにより、排他的論理和は１となるため、論理演算回路２２は、微粒子検出信号ＢＳａに対応する微粒子計測信号ＨＳａを生成する。即ち、論理演算回路２２は、微粒子検出信号ＢＳと計測補正信号ＣＳとの排他的論理和の論理演算を実行し、排他的論理和が１となる場合に微粒子計測信号ＨＳを生成する。
【００４１】
次に、レーザ光Ｌａが第１のトラックＴＲ１（凹部１０２１）に隣接する凸部１０３２に捕捉されている微粒子４０ｅの近傍を走査されると、微粒子４０ｅにより受光レベルＲＬ３，ＲＬ４が低下し、受光レベルＲＬ１，ＲＬ２は変化しない。これにより、受光レベル信号ＲＳ３，ＲＳ４の信号レベルが低下し、受光レベル信号ＲＳ１，ＲＳ２の信号レベルは変化しないため、微粒子４０ｅに対する検出信号ＤＳｅ１の信号レベルは低下し、差信号ＳＳｅ１の信号レベルは上昇する。
【００４２】
論理演算回路２２は、検出信号ＤＳｅ１の信号レベルが閾値を超えている期間にハイレベルとなるパルス信号である微粒子検出信号ＢＳｅ１を生成する。差信号ＳＳｅ１は信号レベルが上昇するので閾値を超えないため、計測補正信号ＣＳは生成されない。
【００４３】
論理演算回路２２は、微粒子検出信号ＢＳと計測補正信号ＣＳとの排他的論理和の論理演算を実行する。微粒子検出信号ＢＳは微粒子検出信号ＢＳｅ１が生成されるので１、計測補正信号ＣＳは生成されないので０として論理演算される。これにより、排他的論理和は１となるため、論理演算回路２２は、微粒子検出信号ＢＳｅ１に対応する微粒子計測信号ＨＳｅを生成する。
【００４４】
次に、レーザ光Ｌａが微粒子４０ｂ上を走査されると、微粒子４０ｂにより受光レベルＲＬ１，ＲＬ２，ＲＬ３，ＲＬ４がほぼ同じレベルで低下する。
【００４５】
これにより、受光レベル信号ＲＳ１，ＲＳ２，ＲＳ３，ＲＳ４の信号レベルがほぼ同じレベルで低下するため、微粒子４０ａに対する検出信号ＤＳｂの信号レベルは低下し、差信号ＳＳの信号レベルはほとんど変化しない。
【００４６】
論理演算回路２２は、検出信号ＤＳｂの信号レベルが閾値を超えている期間にハイレベルとなるパルス信号である微粒子検出信号ＢＳｂを生成する。差信号ＳＳの信号レベルはほとんど変化しないので閾値を超えないため、計測補正信号ＣＳは生成されない。
【００４７】
論理演算回路２２は、微粒子検出信号ＢＳと計測補正信号ＣＳとの排他的論理和の論理演算を実行する。微粒子検出信号ＢＳは微粒子検出信号ＢＳｂが生成されるので１、計測補正信号ＣＳは生成されないので０として論理演算される。これにより、排他的論理和は１となるため、論理演算回路２２は、微粒子検出信号ＢＳｂに対応する微粒子計測信号ＨＳｂを生成する。
【００４８】
論理演算回路２２は、第１のトラックＴＲ１における微粒子計測信号ＨＳをカウントする。具体的には、第１のトラックＴＲ１における微粒子計測信号ＨＳａ，ＨＳｅ，ＨＳｂをカウントし、カウント結果に基づいて、第１のトラックＴＲ１をレーザ光Ｌａが走査された場合の微粒子４０の数を３と判定する。第１のトラックＴＲ１をレーザ光Ｌａが走査された場合の微粒子４０の総数は、凹部１０２１に捕捉されている微粒子４０ａ，４０ｂと凸部１０３２に捕捉されている微粒子４０ｅの総数に対応する。
【００４９】
レーザ光Ｌａが第２のトラックＴＲ２上を走査される場合、トラッキング制御を行うために、レーザ光Ｌａは、レーザスポットＬＳが凹部１０２２と、凹部１０２２に隣接する両側の凸部１０３２及び凸部１０３３とを含む領域に位置するように照射される。凹部１０２２を第１の凹部とすると、凸部１０３２は第１の凸部であり、凸部１０３３は第２の凸部である。
【００５０】
図５は、レーザ光Ｌａが第２のトラックＴＲ２上を走査される場合の検出信号ＤＳと微粒子検出信号ＢＳと差信号ＳＳと計測補正信号ＣＳとの関係を示すタイムチャートである。レーザ光Ｌａが微粒子４０ｃ上を走査されると、微粒子４０ｃにより受光レベルＲＬ１，ＲＬ２，ＲＬ３，ＲＬ４がほぼ同じレベルで低下する。
【００５１】
これにより、受光レベル信号ＲＳ１，ＲＳ２，ＲＳ３，ＲＳ４の信号レベルがほぼ同じレベルで低下するため、微粒子４０ｃに対する検出信号ＤＳｃの信号レベルは低下し、差信号ＳＳの信号レベルはほとんど変化しない。
【００５２】
論理演算回路２２は、検出信号ＤＳｃの信号レベルが閾値を超えている期間にハイレベルとなるパルス信号である微粒子検出信号ＢＳｃを生成する。差信号ＳＳの信号レベルはほとんど変化しないので閾値を超えないため、計測補正信号ＣＳは生成されない。
【００５３】
論理演算回路２２は、微粒子検出信号ＢＳと計測補正信号ＣＳとの排他的論理和の論理演算を実行する。微粒子検出信号ＢＳは微粒子検出信号ＢＳｃが生成されるので１、計測補正信号ＣＳは生成されないので０として論理演算される。これにより、排他的論理和は１となるため、論理演算回路２２は、微粒子計測信号ＨＳｃを生成する。
【００５４】
次に、レーザ光Ｌａが第２のトラックＴＲ２（凹部１０２２）に隣接する一方の凸部１０３２に捕捉されている微粒子４０ｅの近傍を走査されると、微粒子４０ｅにより受光レベルＲＬ１，ＲＬ２が低下し、受光レベルＲＬ３，ＲＬ４は変化しない。これにより、受光レベル信号ＲＳ１，ＲＳ２の信号レベルが低下し、受光レベル信号ＲＳ３，ＲＳ４の信号レベルは変化しないため、微粒子４０ｅに対する検出信号ＤＳｅ２及び差信号ＳＳｅ２の信号レベルは低下する。
【００５５】
論理演算回路２２は、検出信号ＤＳｅ２の信号レベルが閾値を超えている期間にハイレベルとなるパルス信号である微粒子検出信号ＢＳｅ２を生成する。論理演算回路２２は、差信号ＳＳｅ２の信号レベルが閾値を超えている期間にハイレベルとなるパルス信号である計測補正信号ＣＳｅを生成する。
【００５６】
論理演算回路２２は、微粒子検出信号ＢＳと計測補正信号ＣＳとの排他的論理和の論理演算を実行する。微粒子検出信号ＢＳは微粒子検出信号ＢＳｅ２が生成されるので１、計測補正信号ＣＳは計測補正信号ＣＳｅが生成されるので１として論理演算される。これにより、排他的論理和は０となり、微粒子計測信号ＨＳは生成されない。即ち、微粒子検出信号ＢＳｅ２はカウントされない。
【００５７】
次に、レーザ光Ｌａが第２のトラックＴＲ２（凹部１０２２）に隣接する他方の凸部１０３３に捕捉されている微粒子４０ｆ，４０ｇの近傍を走査されると、微粒子４０ｆ，４０ｇにより受光レベルＲＬ３，ＲＬ４が低下し、受光レベルＲＬ１，ＲＬ２は変化しない。これにより、受光レベル信号ＲＳ３，ＲＳ４の信号レベルが低下し、受光レベル信号ＲＳ１，ＲＳ２の信号レベルは変化しないため、微粒子４０ｆ，４０ｇに対する検出信号ＤＳｆｇ１の信号レベルは低下し、差信号ＳＳｆｇ１の信号レベルは上昇する。
【００５８】
論理演算回路２２は、検出信号ＤＳｆｇの信号レベルが閾値を超えている期間にハイレベルとなるパルス信号である微粒子検出信号ＢＳｆｇを生成する。差信号ＳＳｆｇ１は信号レベルが上昇するので閾値を超えないため、計測補正信号ＣＳは生成されない。
【００５９】
論理演算回路２２は、微粒子検出信号ＢＳと計測補正信号ＣＳとの排他的論理和の論理演算を実行する。微粒子検出信号ＢＳは微粒子検出信号ＢＳｆｇ１が生成されるので１、計測補正信号ＣＳは生成されないので０として論理演算される。これにより、排他的論理和は１となるため、論理演算回路２２は、微粒子検出信号ＢＳｆｇ１に対応する微粒子計測信号ＨＳｆｇを生成する。
【００６０】
論理演算回路２２は、第２のトラックＴＲ２における微粒子計測信号ＨＳをカウントする。具体的には、第２のトラックＴＲ２における微粒子計測信号ＨＳｃ，ＨＳｆｇをカウントし、カウント結果に基づいて、第２のトラックＴＲ２をレーザ光Ｌａが走査された場合の微粒子４０の数を３と判定する。論理演算回路２２は、微粒子計測信号ＨＳｆｇのパルス幅に基づいて、微粒子４０の数を２と判定する。第２のトラックＴＲ２をレーザ光Ｌａが走査された場合の微粒子４０の総数は、凹部１０２２に捕捉されている微粒子４０ｃと凸部１０３３に捕捉されている微粒子４０ｆ，４０ｇとの総数に対応する。
【００６１】
レーザ光Ｌａが第３のトラックＴＲ３上を走査される場合、トラッキング制御を行うために、レーザ光Ｌａは、レーザスポットＬＳが凹部１０２３と、凹部１０２３に隣接する凸部１０３３及び凸部１０３４とを含む領域に位置するように照射される。凹部１０２３を第１の凹部とすると、凸部１０３３は第１の凸部であり、凸部１０３４は第２の凸部である。
【００６２】
図６は、レーザ光Ｌａが第３のトラックＴＲ３上を走査される場合の検出信号ＤＳと微粒子検出信号ＢＳと差信号ＳＳと計測補正信号ＣＳとの関係を示すタイムチャートである。レーザ光Ｌａが微粒子４０ｄ上を走査されると、微粒子４０ｄにより受光レベルＲＬ１，ＲＬ２，ＲＬ３，ＲＬ４がほぼ同じレベルで低下する。
【００６３】
これにより、受光レベル信号ＲＳ１，ＲＳ２，ＲＳ３，ＲＳ４の信号レベルがほぼ同じレベルで低下するため、微粒子４０ｄに対する検出信号ＤＳｄの信号レベルは低下し、差信号ＳＳの信号レベルはほとんど変化しない。
【００６４】
論理演算回路２２は、検出信号ＤＳｄの信号レベルが閾値を超えている期間にハイレベルとなるパルス信号である微粒子検出信号ＢＳｄを生成する。差信号ＳＳの信号レベルはほとんど変化しないので閾値を超えないため、計測補正信号ＣＳは生成されない。
【００６５】
論理演算回路２２は、微粒子検出信号ＢＳと計測補正信号ＣＳとの排他的論理和の論理演算を実行する。微粒子検出信号ＢＳは微粒子検出信号ＢＳｄが生成されるので１、計測補正信号ＣＳは生成されないので０として論理演算される。これにより、排他的論理和は１となるため、論理演算回路２２は、微粒子計測信号ＨＳｄを生成する。
【００６６】
次に、レーザ光Ｌａが第３のトラックＴＲ３（凹部１０２３）に隣接する凸部１０３３に捕捉されている微粒子４０ｆ，４０ｇの近傍を走査されると、微粒子４０ｆ，４０ｇにより受光レベルＲＬ１，ＲＬ２が低下し、受光レベルＲＬ３，ＲＬ４は変化しない。これにより、受光レベル信号ＲＳ１，ＲＳ２の信号レベルが低下し、受光レベル信号ＲＳ３，ＲＳ４の信号レベルは変化しないため、微粒子４０ｆ，４０ｇに対する検出信号ＤＳｆｇ２及び差信号ＳＳｆｇ２の信号レベルは低下する。
【００６７】
論理演算回路２２は、検出信号ＤＳｆｇ２の信号レベルが閾値を超えている期間にハイレベルとなるパルス信号である微粒子検出信号ＢＳｆｇ２を生成する。論理演算回路２２は、差信号ＳＳｆｇ２の信号レベルが閾値を超えている期間にハイレベルとなるパルス信号である計測補正信号ＣＳｆｇを生成する。
【００６８】
論理演算回路２２は、微粒子検出信号ＢＳと計測補正信号ＣＳとの排他的論理和の論理演算を実行する。微粒子検出信号ＢＳは微粒子検出信号ＢＳｆｇ２が生成されるので１、計測補正信号ＣＳは計測補正信号ＣＳｆｇが生成されるので１として論理演算される。これにより、排他的論理和は０となり、微粒子計測信号ＨＳは生成されない。即ち、微粒子検出信号ＢＳｆｇ２はカウントされない。
【００６９】
論理演算回路２２は、第３のトラックＴＲ３における微粒子計測信号ＨＳをカウントする。具体的には、第３のトラックＴＲ３における微粒子計測信号ＨＳｄをカウントし、カウント結果に基づいて、第３のトラックＴＲ３をレーザ光Ｌａが走査された場合の微粒子４０の数を１と判定する。
【００７０】
第３のトラックＴＲ３をレーザ光Ｌａが走査された場合の微粒子４０の総数は、凹部１０２３に捕捉されている微粒子４０ｄと凸部１０３４に捕捉されている微粒子との総数に対応する。
【００７１】
従って、論理演算回路２２は、図３に示すトラック領域１０１上に捕捉されている微粒子４０の総数を７と判定する。従来のように微粒子検出信号ＢＳをカウントすると、図３に示すトラック領域１０１上に捕捉されている微粒子４０の総数は１０と判定される。
【００７２】
この測定誤差は、レーザ光Ｌａが第１のトラックＴＲ１を走査される場合と第２のトラックＴＲ２を走査される場合とで微粒子４０ｅがトラック間クロストークによりダブルカウントされ、レーザ光Ｌａが第２のトラックＴＲ２を走査される場合と第３のトラックＴＲ３を走査される場合とで微粒子４０ｆ，４０ｇがトラック間クロストークによりダブルカウントされることに起因する。
【００７３】
以上のように、本実施形態の分析装置１及び分析方法は、差信号ＳＳに基づいて計測補正信号ＣＳを生成し、総和信号である検出信号ＤＳに基づいて生成された微粒子検出信号ＢＳと計測補正信号ＣＳとの排他的論理和の論理演算を実行する。本実施形態の分析装置１及び分析方法は、排他的論理和が１のときに微粒子計測信号ＨＳを生成し、微粒子計測信号ＨＳをカウントすることにより、トラック領域１０１上に捕捉されている微粒子４０を計測する。
【００７４】
従って、本実施形態の分析装置１及び分析方法によれば、レーザ光Ｌａをトラック領域１０１の凹部１０２のみを走査することにより、凹部１０２に捕捉されている微粒子４０と、凹部１０２に隣接する一方の側の凸部１０３に捕捉されている微粒子４０との総数を計測することができる。よって、本実施形態の分析装置１及び分析方法によれば、トラック間クロストークによる影響を抑制し、従来よりも短い時間で精度よく微粒子を計測できる。
【００７５】
なお、本発明は、上述した実施形態に限定されるものではなく、本発明の要旨を逸脱しない範囲において種々変更可能である。
【００７６】
例えば、検出信号生成回路２１は、加算信号（ＲＳ３＋ＲＳ４）から加算信号（ＲＳ１＋ＲＳ２）を減算して差信号ＳＳ（（ＲＳ３＋ＲＳ４）−（ＲＳ１＋ＲＳ２））を生成してもよい。この場合、微粒子４０に対する差信号ＳＳの信号レベルの変化が反転するため、例えば微粒子４０ｅは、レーザ光Ｌａが第２のトラックＴＲ２（凹部１０２２）を走査される場合にはカウントされ、第１のトラックＴＲ１（凹部１０２１）を走査される場合にカウントされない。
【００７７】
即ち、レーザ光Ｌａが第１のトラックＴＲ１を走査される場合の微粒子４０の総数は、凹部１０２１に捕捉されている微粒子４０ａ，４０ｂと凸部１０３１に捕捉されている微粒子の総数に対応する。レーザ光Ｌａが第２のトラックＴＲ２を走査される場合の微粒子４０の総数は、凹部１０２２に捕捉されている微粒子４０ｃと凸部１０３２に捕捉されている微粒子４０ｅの総数に対応する。レーザ光Ｌａが第３のトラックＴＲ３を走査される場合の微粒子４０の総数は、凹部１０２３に捕捉されている微粒子４０ｄと凸部１０３３に捕捉されている微粒子４０ｆ，４０ｇの総数に対応する。
【００７８】
凸部１０３を対象領域とし、凹部１０２を周辺領域としてもよい。即ち、レーザ光Ｌａがトラック領域１０１の凸部１０３のみを走査されることにより、凸部１０３に捕捉されている微粒子４０と、凸部１０３に隣接する一方の側の凹部１０２に捕捉されている微粒子４０との総数を計測するようにしてもよい。
【００７９】
具体的には、例えば凸部１０３２を第１の凸部とし、凸部１０３２に隣接する一方の側の凹部１０２１を第１の凹部、他方の側の凹部１０２２を第２の凹部とする。光ピックアップ１０は、レーザ光Ｌａを、レーザスポットＬＳが第１の凸部と、第１の凸部に隣接する両側の第１及び第２の凹部とを含む第２の照射領域に位置するように照射する。
【００８０】
レーザスポットＬＳは、第１の凸部と第１の凸部に隣接する一方の側の第１の凹部とを含む領域に位置する第１のレーザスポットＬＳ１，ＬＳ２と、第１の凸部と第１の凸部に隣接する他方の側の第２の凹部とを含む領域に位置する第２のレーザスポットＬＳ３，ＬＳ４とに分割される。
【００８１】
受光領域３１，３２は第１のレーザスポットＬＳ１，ＬＳ２に分割されたレーザ光Ｌａを第１の検出光Ｌｂ１，Ｌｂ２として受光する。受光領域３３，３４は第２のレーザスポットＬＳ３，ＬＳ４に分割されたレーザ光Ｌａを第２の検出光Ｌｂ３，Ｌｂ４として受光する。
【００８２】
信号処理回路２０による微粒子検出信号ＢＳと計測補正信号ＣＳとの排他的論理和の論理演算により微粒子４０を計測する方法は、レーザ光Ｌａが凹部１０２のみを走査される場合と同じである。
【００８３】
光検出器３０として２分割フォトダイオードを用いてもよい。この場合、一方の受光領域は受光領域３１，３２に対応し、他方の受光領域は受光領域３３，３４に対応する。
【００８４】
検出信号ＤＳ及び差信号ＳＳの閾値は、トラック領域に微粒子が捕捉されていない場合の信号レベルと、トラック領域に捕捉された微粒子に起因する信号レベルの中間値に設定するが、微粒子の材質または径の大きさ、並びに、用いられるレーザ光Ｌａの波長または対物レンズ１４の開口数に応じて、より最適な値に設定してもよい。トラック領域に微粒子が捕捉されていない信号レベルに対して、トラック領域に捕捉されている微粒子に起因する信号レベルが高い値として検出されるような検出系の場合は、閾値を上回っている信号に対して論理演算のフラグを１にすればよい。
【符号の説明】
【００８５】
１  分析装置
１０  光ピックアップ
２０  信号処理回路
３１，３２  受光領域（第１の受光領域）
３３，３４  受光領域（第２の受光領域）
４０  微粒子
１０１  トラック領域
１０２  凹部（対象領域）
１０３  凸部（周辺領域）
Ｌａ  レーザ光
ＬＳ  レーザスポット
Ｌｂ  検出光
ＲＳ  受光レベル信号
ＤＳ  検出信号
ＳＳ  差信号
ＢＳ  微粒子検出信号
ＣＳ  計測補正信号
ＨＳ  微粒子計測信号
【図１】
2018165620.tif 000003
【図２Ａ】
2018165620.tif 000004
【図２Ｂ】
2018165620.tif 000005
【図３】
2018165620.tif 000006
【図４】
2018165620.tif 000007
【図５】
2018165620.tif 000008
【図６】
2018165620.tif 000009